(57)【特許請求の範囲】
【請求項１】
折畳み又は重ね合せ式両面窓孔付の基盤と４段重ね操作盤を同心にして、軸支材で契合した横半転型の四柱推命命式求め両面回転盤であって、
Ａ面操作盤１段目の表側面の外周には６０年間の西暦・年号を二段１２０年分と６０干支、続く同心円欄に６０干支と陰陽五行に関る年柱を配し、Ａ面操作盤２段目の外周に月柱を配し、Ａ面操作盤３段目の外周に日柱を配し、Ａ面操作盤４段目の外周に時柱を配した、それぞれ径の異なる回転盤を４段に重ね合わせ、対象者其々の四柱操作により、陰陽五行に関わる宿命の四柱推命命式が命式板に縦列で現れるように構成し、
Ｂ面操作盤は、Ａ面操作盤１段目の裏側面であり、その外周に６０年間の６０干支、次段の同心円欄は陰陽五行との関係で（１）四柱推命、（２）十干十二支、（３）陰陽五行説、（４）陰陽論と五行の結合、（５）五行の相関関係、（６）五行の配当の六区画で、Ａ面の四柱推命に関する要点説明、中央部に６０干支の回転図を時計廻りに配した、横半転型の四柱推命命式求め両面回転盤。
【発明の詳細な説明】
【技術分野】
【０００１】  本発明は当該対象者の四柱推命命式求め両面回転盤に関する。
【背景技術】
【０００２】  四柱推命に関する図書は多岐で円形図なども散見するが、両面回転盤を対象としたのは見当たらない。六十干支は全てを示す基本的な根源である、四柱推命は年・月・日・時の四柱であり四柱様態を図解化して、その要点説明と連携し明解にする。【０００３】  操作盤Ａ面の１段目は西暦・年号の６０年間の２段（１２０年間）、西暦・１８２４〜２０４３年、年号・大正１３年から令和２５年迄に合せて下欄に六十干支であり、続く同心円には四柱推命の年柱。続いて操作盤二段目・月柱、三段目・日柱、四段目・時柱の四柱であり、陰陽五行で四柱推命の命式に関わる四柱の命式求め両面回転盤である。【０００４】  Ｂ面外周面は六十干支を配し、次段の六区画の（１）〜（６）項はＡ面の要点説明、外周欄とは縁切し当図以外の図表など本来の時計廻りに統一、中央に象徴の六十干支を配す。Ｂ面外周欄はＡ面と照合一致確認策。６０干支で１２０年間を両面連携で命式求め照合確認の為。Ｂ面外周欄の時計逆廻りは、Ａ面と連携による照合確認解決策。
【先行技術文献】
【特許文献】
【０００５】
【特許文献１】特開  ２００７−２４１６８９  四柱推命六十干支求め表セット
【非特許文献】
【０００６】
【非特許文献１】精解  吉象  万年暦  （東洋書院）
【発明の概要】
【発明が解決しようとする課題】
【０００７】（イ）一般的に四柱推命関連書は、殆どが五行について通り一遍の説明が通例、関係解釈や五行を理解しない限り奥に入って行けない世界。図書など多岐に亘る、理由は暦干支の出し方や解釈違い。読み方は五行と相互関係の基本が複雑で困難性が伴う。
（ロ）従来の萬年暦は上段が横列に年月、下段は縦に１２ヶ月分の日、一年間分見開きで２頁の干支名、嵩張る萬年暦を捲る時間損失と損耗大。又、大切な事であり干支名だけでは分り難く、干支番号と干支名の両方で明確に、解り易く間違が無い様にした。
本発明の四柱推命命盤求め両面回転盤は、以上の様な欠点を補う為に成すもの。
【課題を解決するための手段】
【０００８】（イ）基盤と操作盤（厚紙又は木・アクリル板等）の組み合わせ。基盤と操作盤を同心にし四段重ね合せて軸支材で契合し一体化、シンプルな両面回転盤である。
（ロ）両面回転盤はＡ面の表に対しＢ面は裏、表裏一体の同方向回転が不可欠。それに対応する印刷したフィムル類貼着や直接印刷等で解決を図る。
（ハ）操作盤は両面同心円で、中心角６度の放射線状で円周を６０等分。両面外周に六十干支を配す。加えてＡ面同欄に１８２４〜２０４３年の年号・大正１３年〜令和２５年迄、１２０年間を１周６０年の２段で対応、Ｂ面はＡ面の干支と照合・一致確認の為に配す。
（ニ）陰陽五行説に関する説明や関連図など数多くあるが、四柱推命関連は根幹となる陰陽五行がなおざりである。四柱様態の説明や解釈が其々で一体・明解性を求める。
【発明の効果】
【０００９】（イ）年柱は陰陽五行説に伴う「木、火、土、金、水」の五元素で「陰陽」を表現。
（ロ）年柱・月柱・日柱・時柱は共に陰陽五行説の巡りとして捉える。操作盤Ｂ面中央部に象徴として、６０干支を時計廻りで見る機能である。【００１０】  Ｂ面外周の番号付き六十干支と、両面一致及び西暦・年号照合確認が目的で、四柱推命命式求め策。依って内側段・六区画其々の説明欄とは役割違いで縁切り（二重線・図参照）。前項目以外は図面を含め時計回りを基本とする。
【図面の簡単な説明】
【００１１】横半転型
【図１】  横半転型・折畳み又は重ね合せ式基盤（両面窓孔付）の斜視図。
【図２】  図１の基盤と操作盤の分解斜視図。
【図３】  図１の基盤に操作盤を組み合わせた斜視図。
【図４】  横半転型Ａ面（実線）と横半転型Ｂ面（点線）の斜視図。
【図５】  操作盤Ａ面の部分詳細図。
【図６】  操作盤Ｂ面の部分詳細図。
【図７】  操作盤Ａ面を基盤に組込み（１：甲子〜１０：癸酉）部分の詳細図。（点線で回転可能の四柱命式板を図示）
【図８】  操作盤Ｂ面を基盤に組込み（１０：癸酉〜１：甲子）部分の詳細図。
【発明を実施するための形態】
【００１２】（イ）基盤と操作盤を同心にして軸支材で契合し一体化。盤操作により基盤の窓孔（記号５−ａ）（記号５−ｂ）に、迅速且つ明確に確認可能。
（ロ）六十干支は基本となる最も大切、６０年間で繰返される事に着眼。操作盤は中心角６度の放射線状で円周３６０度を６０等分、Ａ面は西暦と年号を１９２４（大正１３）年〜２０４３（令和２５）年まで１２０年を２段に、Ｂ面の６０干支と照合一致確認の役目を課す。
（ハ）Ｂ面は五行説に鑑み六区画項、（１）四柱推命理、（２）十干十二支、（３）陰陽五行説、（４）陰陽論と五行の結合、（５）五行の相関関係、（６）五行の配当、Ａ面解説図に関る要点説明項である。
（ニ）操作盤文字は直接又は印刷フィルム貼文字、盤は同心円で表裏、Ａ面は時計回り文字に対し、Ｂ面外周の干支他文字は時計と逆回り文字が不可欠。同方向回転が絶対条件。
（ヘ）操作盤ＡＢ両面に欠かせぬ陰陽五行の五色配当など。視覚的効果で着色を施し前記形態の示しに限らず目的に応じ、本発明の範囲内で可能である。基盤、操作盤、軸支部材など大きさや形等は用途に合わせ、適宜選択変更できる。
【符号の説明】
【００１３】１−１    横半転型基盤
２        回転操作盤
３        支軸材
４        中心
５        Ａ面操作の命式板（四柱命式を示す）
１−ａ    基盤Ａ面
１−ｂ    基盤Ｂ面
５−ａ    窓孔Ａ面
５−ｂ    窓孔Ｂ面
【発明の概要】
【発明が解決しようとする課題】
【発明の概要】
【００１４】（イ）回転操作盤面はＡ面の表面に対しＢ面は裏面であり、表裏一体の同方向回転が不可欠。それに対応する印刷したフィルム貼着や直接印刷等で解決を図る。
（ロ）操作盤はＡ・Ｂ両面が同心円で、中心角６度の放射線状で円周３６０度を６０等分し、六十干支および西暦・年号など其々の役割に対応する。
（ハ）４段重ねの操作盤１段目のＡ面外周に西暦・年号「１９２４（大正１３）〜２０４３（令和２５）年」の１２０年間を６０年間２段にして、６０干支と合せる。４段重ね１段目に四柱の段順に年・月・日・時の四柱推命・陰陽五行を表す。
（ニ）Ｂ面外周に六十干支、本来は時計回りを正とするも、Ｂ面は裏面で表裏一体の同方向回転方で逆回り。Ａ面外周の６０干支と一致照合．当該年の干支と西暦・年号一致確認が目的。その内側の６区画面説明欄とは役割上縁切り（図９参照）。
（ホ）内段の六区画面は、（１）四柱推命理論、〜（６）五行の配当、以上六区画項は其々の要点を纏めたＡ面図解の参考説明項。
【発明の効果】
【００１５】（イ）四柱推命理論や用語など更に解り易い理解方法に視覚的効果（五色着色等）を図り、陰陽五行の認識が高められる。
（ロ）Ａ面外周欄に順位番号・六十干支（干支の音と訓読み振仮名付）を配す。二段目同心円に年・月・日・時の四柱を、陰陽五行説「木・火・土・金・水」の五元素を表現。Ａ面は陰陽五行の巡りとして捉える。
（ハ）Ｂ面は外周に番号入り六十干支を配す。本来時計回りを正とするもＢ面はＡ面の裏面であり、表裏同方向回転策で逆回り。Ａ面外周の西暦・年号と番号入り六十干支との確認が役割で、区画面の説明欄とは切り離す（Ｂ面説明図参照）。
（ニ）基盤の窓孔は中心円角６０度。操作盤は陰陽五行に伴う干支順位番号１甲子〜１０癸酉、１１〜２０、２１〜３０、３１〜４０、４１〜５０、５１甲寅〜６０癸亥の順で一巡する。基盤の窓孔には両面共、前記の順序で回転盤を合致させる事が基本である。
（ホ）四柱の様態図で様々な理解が図れる。例えば図７はＡ面操作盤を組込んだ図であり、前項（ニ）の五行に伴う干支順位１甲子〜１０癸酉である。Ａ面窓孔形は十干と十二支の関係、又、十干と十二支の数の違いで生れる現象、年柱で十二支の「戌亥」部分が空亡である。（占いは特許の非分野で、これ以上は入らない）
（ヘ）図解化により様々な視覚的効果が見られる。中国の陰陽五行思想は日本に深く浸透、理に基づき生きてきた。陰陽五行に基づく様々な発見がある。
【要約】
【課題】  四柱推命で当該者の生誕年・月・日・時の四柱命式を、其々の六十干支を嵩張る萬年暦など用いないで、迅速に明解明確に知る。
【解決手段】  操作盤Ａ面の横列最上段に西暦、年号１２０年間を６０年間の２段にして、番号付６０干支と合せる。六十干支が基本で陰陽五行説に鑑みる、四柱推命の年・月・日・時の四柱の陰陽五行に関わる様態図解である回転盤のＡ面と、六区画（１）四柱推命（２）十干十二支（陰陽五行説）（３）陰陽五行説（４）陰陽論と五行の結合（５）五行の相関関係（６）五行の配当の要点説明のＢ面との連携で明確に対応。１９２４（大正１３、１・甲子）年から２０４３（令和２５、６０・癸亥）年まで、一周６０年×２段＝１２０年間の、誕生年・月・日・時の四柱推命六十干支番号求め両面回転盤。照合・一致確認の両円周欄は、前記１２０年間前後の期間にも応用可能である。両面操作盤は基本的に同心円に中心角６度の放射線状で円周を６０等分、外周欄両面に６０干支を配す。【図１】
0006680432.tif 000002
【図２】
0006680432.tif 000003
【図３】
0006680432.tif 000004
【図４】
0006680432.tif 000005
【図５】
0006680432.tif 000006
【図６】
0006680432.tif 000007
【図７】
0006680432.tif 000008
【図８】
0006680432.tif 000009